(57)【要約】【解決する課題】  太さの異なる鉄筋又はアンカーボルトや少々歪んで取り付けられた鉄筋やアンカーボルトでも矯正しながら取り付けることができる鉄筋又はアンカーボルトの固定具と、該鉄筋又はアンカーボルトの固定具をテンプレートに取着した鉄筋又はアンカーボルト固定用のテンプレートを提供する。【課題を解決するための手段】一方端が屋根型１１に形成され、他方端がコの字型１２に形成された５角形の枠体であって、該５角形の枠体の内側に鉄筋又はアンカーボルト１６を挿通させて、該５角形の枠体を挿通した鉄筋又はアンカーボルト１６を締め付けて固定するためのボルト１４が前記屋根型１１の他方端のコの字型１２の底面に螺着していることを特徴とするテンプレートに取着するための鉄筋又はアンカーボルトの固定具１００と、該固定具を取着した鉄筋又はアンカーボルトの固定用テンプレートとした。【選択図】図１
2005282018.tif 000002
【特許請求の範囲】
【請求項１】
一方端が屋根型に形成され、他方端がコの字型に形成された５角形の枠体であって、該５角形の枠体の内側に鉄筋又はアンカーボルトを挿通させて、前記５角形の枠体を挿通した鉄筋又はアンカーボルトを締め付けて固定することができるボルトと、該ボルトが前記屋根型の他方端のコの字型の底面に螺着されていることを特徴とするテンプレートに取着するための鉄筋又はアンカーボルトの固定具。
【請求項２】
鉄筋又はアンカーボルトの固定具の外壁部にテンプレートにネジで固定するための取着部が設けられていることを特徴とする請求項１に記載の鉄筋又はアンカーボルトの固定具。
【請求項３】
テンプレートが長方形の板状体であって、該テンプレートに前記鉄筋又はアンカーボルトの固定具を着設するための穴が複数個穿設され、該穴に鉄筋又はアンカーボルトの固定具が少なくとも２個着設されていることを特徴とする鉄筋又はアンカーボルト固定用のテンプレート。
【請求項４】
テンプレートに鉄筋又はアンカーボルトの固定具を少なくとも２個着設された鉄筋又はアンカーボルト固定用のテンプレートを複数枚組み合わせて連結されていることを特徴とする請求項３に記載の鉄筋又はアンカーボルト固定用のテンプレート。
【発明の詳細な説明】
【技術分野】
【０００１】
本発明は鉄筋コンクリートよりなる建造物を建造するに当たり、組み立てられる鉄筋又はアンカーボルトを固定するために用いられる鉄筋又はアンカーボルトの固定具、及び該固定具をテンプレートに取着した鉄筋又はアンカーボルト固定用のテンプレートに関する。
【背景技術】
【０００２】
鉄筋コンクリートよりなる建造物を建造するに当たり、組み立てられた鉄筋又はアンカーボルトを固定するために、従来、ベニヤ板等に鉄筋やアンカーボルト用の穴を穿設して鉄筋又はアンカーボルトの頭部を挿入して固定されていた。しかし、この方法ではベニヤ板が破損したり、繰り返し使用することができない等の問題点があった。
【０００３】
特許文献１の請求項１には「略平行な２つの扁平部と、両扁平部の端部間に形成されたねじの外形で、互いに対向する２つの円弧部とからなる断面形状を有するねじ節鉄筋によって形成されたアンカーボルトに使用するアンカーボルト用テンプレートにおいて、前記アンカーボルトが挿通する複数の取り付け穴を有し、前記複数の取り付け穴の各々を、前記アンカーボルトの断面形状と略同じ形状の長穴にしたことを特徴とするアンカーボルト用テンプレート。」で、「各軸部を各取付穴３に挿通させた際に、テンプレートが軸部のねじ溝に落ち込むのが壁部により防止され、各軸部と各取付穴の間で扁平部と平行な方向すなわちアンカーボルトの前後方向にガタが生じない。」効果を有することが開示されている。
【０００４】
さらに、特許文献２の請求項１には「略平行な２つの扁平部と、両扁平部の端部間に形成されたねじの外形で、互いに対向する２つの円弧部とからなる断面形状を有するねじ節鉄筋によって形成されたアンカーボルトの左右の軸部にナットで固定されるテンプレートで、前記左右の軸部がそれぞれ挿通する複数の取り付け穴を有するアンカーボルト用テンプレートにおいて、前記複数の取り付け穴の各々の、前記ねじに対応する箇所に、前記取付穴の内壁面と略一致する内壁面を有する壁部を立設したことを特徴とするアンカーボルト用テンプレート。」で、「各軸部を各取付穴３に挿通させた際に、各軸部と各取付穴との間に隙間ができず、これらの間で各軸部の扁平部に直交する方向にガタが生じない。」効果を有することが開示されている。
【０００５】
上記したように従来のアンカーボルト用テンプレートは、木の板や合板で作成されていたが、破損が著しいため、再使用ができなかった。このような点を改良するために、特許文献１、２では金属板にアンカーボルト用の穴を穿設したアンカーボルト用テンプレートが開示されている。ここで開示されているアンカーボルト用テンプレートは、アンカーボルト用テンプレートのアンカーボルト用の穴は各軸部と各取付穴との間に隙間ができないような構造であって、さらに、テンプレートが軸部のねじ溝に落ち込むのを壁部により防止される構造となっている。この構造ではアンカーボルトが歪んでいるときは、アンカーボルト用テンプレートのアンカーボルト用の穴に合うように、一本一本修正していかなければならない。また、アンカーボルトの太さが異なると使用できないという欠点がある。そこで、鉄筋やアンカーボルトの太さに関係なく使用することができ、再使用可能な鉄筋又はアンカーボルトの固定具、及び該固定具をテンプレートに取着した鉄筋又はアンカープレート固定用のテンプレートの出現が望まれていた。
【特許文献１】特開平１０−３７２０５号公報
【特許文献２】特開平１０−３７４７６号公報
【発明の開示】
【発明が解決しようとする課題】
【０００６】
本発明は上記したように太さの異なる鉄筋又はアンカーボルトや少々歪んで取り付けられた鉄筋やアンカーボルトでも矯正しながら取り付けることができる鉄筋又はアンカーボルトの固定具と該鉄筋又はアンカーボルトの固定具をテンプレートに取着した鉄筋又はアンカーボルト固定用のテンプレートを提供するものである。
【課題を解決するための手段】
【０００７】
上記課題を解を解決するために鋭意研究を重ねた結果、太さの異なる鉄筋又はアンカーボルトを固定することができる鉄筋又はアンカーボルトの固定具と、該鉄筋又はアンカーボルトの固定具を取着することができるテンプレートとを考案し、さらに、このテンプレートに鉄筋又はアンカーボルトの固定具を着設することによって、太さの異なる鉄筋又はアンカーボルトや種々の間隔に設けられた鉄筋又はアンカーボルトを容易に固定することができる鉄筋又はアンカーボルト固定用のテンプレートの提供に成功した。
【０００８】
本発明の特徴は、一方端が屋根型に形成され、他方端がコの字型に形成された５角形の枠体であって、該５角形の枠体の内側に鉄筋又はアンカーボルトを挿通させて、前記５角形の枠体を挿通した鉄筋又はアンカーボルトを締め付けて固定することができるボルトと、該ボルトが前記屋根型の他方端のコの字型の底面に螺着していることを特徴とするテンプレートに取着するための鉄筋又はアンカーボルトの固定具である。屋根型の内面の三角形の頂点に向けて鉄筋又はアンカーボルトを当接させて、屋根型の他方端のコの字型の底面に螺着されたボルトで鉄筋又はアンカーボルトを締め付けることによって、鉄筋又はアンカーボルトを強固に固定することができる。屋根型にすることによって、屋根型の内側の三角形の両側面の２面で鉄筋又はアンカーボルトが受け止められてボルトと共に３点で固定され、平面とボルトの２点で固定するよりも強固に固定される。
【０００９】
本発明の別の特徴は、鉄筋又はアンカーボルトの固定具の外壁部にテンプレートにネジで固定するための取着部が設けられていることを特徴とする請求項１に記載の鉄筋又はアンカーボルトの固定具である。鉄筋又はアンカーボルトの固定具の屋根型の外壁部に、本発明の固定具をテンプレートにネジで固定するための取着部を設けることによって、鉄筋又はアンカーボルトの固定具を必要な個数のみ、又は必要な箇所にのみテンプレートに取り付けることができる。
【００１０】
本発明の別の特徴は、テンプレートが長方形の板状体であって、該テンプレートに前記鉄筋又はアンカーボルトの固定具を着設するための穴が複数個穿設され、該穴に鉄筋又はアンカーボルトの固定具が少なくとも２個着設されていることを特徴とする鉄筋又はアンカーボルト固定用のテンプレートである。テンプレートを長方形の板状体とし、テンプレートに前記鉄筋又はアンカーボルトの固定具を取着するための穴を複数個設けて、このテンプレートの各穴の位置に必要な個数、又は必要な箇所に取り付けて、鉄筋又はアンカーボルトを強固に固定することができる。
【００１１】
本発明の別の特徴は、テンプレートに鉄筋又はアンカーボルトの固定具を少なくとも２個着設された鉄筋又はアンカーボルト固定用のテンプレートを複数枚組み合わせて連結されていることを特徴とする請求項３に記載の鉄筋又はアンカーボルト固定用のテンプレートである。鉄筋又はアンカーボルトの固定具を長方形の板状体に複数個着設された鉄筋又はアンカーボルト固定用のテンプレートを必要に応じて２枚を合わせてL型に、３枚を合わせてコの字型に、４枚を合わせてロ字型に長方形の板状体を組み合わせて、鉄筋又はアンカーボルトの位置関係を維持するためにそれらの形状に合わせて、鉄筋又はアンカーボルト固定用のテンプレートとして使用することができる。
【発明の効果】
【００１２】
一方側が屋根型に形成され、屋根型の他方側はコの字型に形成された５角形の枠体であって、コの字型の底面にボルトを螺着するための孔が穿設された鉄筋又はアンカーボルトが挿通する枠体とした。この屋根型の内側に鉄筋又はアンカーボルトを挿通させて、挿通した鉄筋又はアンカーボルトを、屋根型の他方側のコの字型の底面に螺着されたボルトを締め付けることによって固定することができるようにした。この際、鉄筋又はアンカーボルトは屋根型の三角形の内側の両側面とボルトの３点で強固に固定することができる。このように鉄筋又はアンカーボルトの当接箇所を屋根型にすることによって、鉄筋又はアンカーボルトの太さに関係なく鉄筋又はアンカーボルトは屋根型の三角形の両側面に当接して、鉄筋又はアンカーボルトをボルトと共に３点で安定して固定することができる。
【００１３】
鉄筋又はアンカーボルトの固定具を着設するためのテンプレートを長方形の板状体とすることによって、片側の一方向のみ固定する場合は１枚で使用し、２方向の場合は２枚を組み合わせる等、３枚、４枚を適宜組み合わせて使用することができ、必要に応じて鉄筋又はアンカーボルト用のテンプレートを複数組み合わせて使用することができる。
【発明を実施するための最良の形態】
【００１４】
以下に図面を示して本発明の鉄筋又はアンカーボルトの固定具、該固定具をテンプレートに着設した鉄筋又はアンカーボルト固定用のテンプレートについて説明するが、本発明は以下の実施例に限定されるものではない。
【００１５】
本発明の鉄筋又はアンカーボルトの固定具１００は、図１に示すように、厚さが約４〜７ｍｍ、幅が約６５ｍｍ、一片の長さが約６５ｍｍの鋼板を２枚、直角に貼り合わせて屋根型１１に形成して、屋根型１１の下に、両側の高さが約４４ｍｍ、底面の長さが約７４ｍｍのコの字型１２の枠体を固着した。コの字型１２の枠体の底面から穴の中心部と屋根型１１の頂点とが合うようにボルトの穴を穿設し、内側にナット１５を固着した。この鉄筋又はアンカーボルトの固定具１００は図１に示すように、鉄筋又はアンカーボルト１６が挿通する一方端が屋根型に形成され、他方端がコの字型に形成された５角形の枠体であって、上部の屋根型１１の内側に鉄筋又はアンカーボルト１６を挿通させて、屋根型１１の他方端のコの字型に形成された底面に螺着されたボルト１４によって、屋根型１１の内側を挿通した鉄筋又はアンカーボルト１６を屋根型の三角形の内側の二辺の面とボルトの３点で鉄筋又はアンカーボルトを固定することを特徴とする鉄筋又はアンカーボルトの固定具である。ここで使用する鋼板は、特に鋼板に限定されるものではなく、鉄製であっても良いが、頻回使用することを考慮すれば、錆びにくい金属板を使用することが望ましい。鉄筋又はアンカーボルトの固定具の大きさは、鉄筋又はアンカーボルトを挿通させる枠体であって、枠体に挿通させた鉄筋又はアンカーボルトを枠体の一方端、すなわち、屋根型の内側の両側面に当接させて、枠体の他方端に螺着したボルトで締め付けて固定する形状であれば、上記の大きさ、形状に限定されるものではない。
【００１６】
本発明の鉄筋又はアンカーボルトの固定具１００は、図１Ａに示すように、鉄筋又はアンカーボルトの固定具１００の屋根型１１の外壁部にテンプレートにネジで固定するための取着部１７が固着されていないものと、図１Ｂに示すように取着部１７が固着されている鉄筋又はアンカーボルトの固定具１００を例示することができる。取着部１７が固着されていない鉄筋又はアンカーボルトの固定具１００は、テンプレートに直接、固着するタイプであって、鉄筋又はアンカーボルトの間隔、本数等が規定された鉄筋又はアンカーボルトを固定するために使用することができる。
【００１７】
図２は、鉄筋又はアンカーボルトの固定具１００に鉄筋又はアンカーボルト１６を挿通した斜視図を示す。本発明の鉄筋又はアンカーボルトの固定具１００は、一方端が屋根型に形成され、他方端がコの字型に形成された５角形の鉄筋又はアンカーボルトが挿通することができる枠体であって、図２に示すように、５角形の枠体に鉄筋又はアンカーボルト１６を挿通させて、枠体に固設した上部の屋根型１１の内側面に鉄筋又はアンカーボルトを当接させて、屋根型１１の他方端のコの字型１２の底面に螺着されたボルト１４によって、屋根型１１の内側面に向かって鉄筋又はアンカーボルトを前記ボルトで締め付けて固定することを特徴とする鉄筋又はアンカーボルトの固定具１００である。屋根型の三角形の内側の２辺とボルトの３点で鉄筋又はアンカーボルトを固定するものであって、一平面とボルトの２点で固定する方法に比較して、鉄筋又はアンカーボルトを強固に固定することができる。又、屋根型の三角形とすることによって鉄筋又はアンカーボルトの太さに関係なく３点で固定することができる。
【００１８】
図３は鉄筋又はアンカーボルト固定用のテンプレート２００の上面図を示す。鉄筋又はアンカーボルトの固定具１００を取着した長方形の板状体１８であるテンプレートの上面図を示す。テンプレートは厚さ約７ｍｍ、横幅約１２５ｍｍ、長さ約４１５ｍｍの長方形の鋼板製の板状体に鉄筋又はアンカーボルトの固定具が装着できる約６５×６５ｍｍの穴を三箇所穿設した。この鋼板製の長方形の板状体の側面に長方形の板状体同士を定着するための跨着板１９がネジで強固に螺着されている。ここで使用する鋼板は、特に鋼板に限定されるものではなく、鉄製であっても良いが、頻回使用することを考慮すれば、錆びにくい金属板を使用することが望ましい。
【００１９】
複数本の鉄筋又はアンカーボルト相互の位置関係を維持するために、鉄筋又はアンカーボルトの固定具を必要に応じて長方形の板状体１８であるテンプレートに取着して使用することができる。例えば、必要に応じて長方形の板状体１８を２枚合わせてL字状に、３枚を合わせてコの字型に、４枚を合わせてロ字型に長方形の板状体を定着して使用することができる。このように長方形の板状体に取着する鉄筋又はアンカーボルトの固定具の個数と、長方形の板状体を定着する枚数により多様な使用方法ができる。
【００２０】
図４は、長方形の板状体１８であるテンプレート４枚をロ字型に形成し、その上に鉄筋又はアンカーボルトの固定具１００を取着した本発明の鉄筋又はアンカーボルト固定用のテンプレート２００の上面図を示す。本発明の鉄筋又はアンカーボルトの固定具１００を取着した長方形の板状体１８であるテンプレートを４枚組み合わせて使用する場合は、長方形の板状体１８の２箇所をそれぞれ整合させて、跨着板１９をネジで固定する。
【００２１】
図５は、ロ字型のテンプレートに鉄筋又はアンカーボルトの固定具１００を固設した鉄筋又はアンカーボルト固定用のテンプレート２００の上面図を示す。図５に示す鉄筋又はアンカーボルト固定用のテンプレート２００は、鉄筋又はアンカーボルトの固定具１００をテンプレート上に固着した形状のテンプレートを例示している。この鉄筋又はアンカーボルト固定用のテンプレート２００は鉄筋又はアンカーボルトの固定具１００が固着されているので、鉄筋又はアンカーボルトの位置、本数が規定された汎用タイプとして使用することができる。
【００２２】
図６は、鉄筋１６に鉄筋又はアンカーボルト固定用のテンプレート２００を着設した斜視図を示す。本発明の鉄筋又はアンカーボルト固定用のテンプレート２００に着設された鉄筋又はアンカーボルトの固定具１００の枠内に鉄筋１６を挿通さして、ボルト１４によって鉄筋１６を屋根型１１の三角形の内側面に当接させてボルトで締め付けて固定する。
【図面の簡単な説明】
【００２３】
【図１】図１は鉄筋又はアンカーボルトの固定具の上面図を示す。
【図２】図２は鉄筋又はアンカーボルトの固定具に鉄筋又はアンカーボルトを挿通した斜視図を示す。
【図３】図３は鉄筋又はアンカーボルトの固定具を取着した長方形のの板状体であるテンプレートの上面図を示す。
【図４】図４は鉄筋又はアンカーボルトの固定具を取着した長方形の板状体であるテンプレートを４枚組み合わせた上面図を示す。
【図５】図５は鉄筋又はアンカーボルトの固定具を四角形のテンプレートに固設した鉄筋又はアンカーボルト固定用のテンプレートの上面図を示す。
【図６】図６は鉄筋に鉄筋又はアンカーボルト固定用のテンプレートを着設した斜視図を示す。
【符号の説明】
【００２４】
１００：鉄筋又はアンカーボルトの固定具
２００：鉄筋又はアンカーボルト固定用のテンプレート
１１：屋根型
１２：コの字型
１３：鉄筋又はアンカーボルト当接部
１４：ボルト
１５：ナット
１６：鉄筋又はアンカーボルト
１７：取着部
１８：長方形の板状体（テンプレート）
１９：跨着板
【図１】
2005282018.tif 000003
【図２】
2005282018.tif 000004
【図３】
2005282018.tif 000005
【図４】
2005282018.tif 000006
【図５】
2005282018.tif 000007
【図６】
2005282018.tif 000008